(57)【要約】【課題】  反りが生じた場合でも良好な積層状態を得ることによって、破壊や異音の発生を防止するとともに、据付や運搬等の取り扱いを容易にすることができる単位おもりを使用したエレベータ用釣合い重りを得る。【解決手段】  単位おもりを使用したエレベータ用釣合い重りにおいて、所定の間隔を有して立設された２つの側枠と、この側枠に両端部が係合し、長手方向の一面両端部にそれぞれ凸部が設けられることによって、凸部間に凹部が形成された単位おもりとを備える。【選択図】      図３
2005145645.tif 000002
【特許請求の範囲】
【請求項１】
長手方向の一面両端部にそれぞれ凸部が設けられることによって、前記凸部間に凹部が形成されたことを特徴とするエレベータ用釣合い重りの単位おもり。
【請求項２】
所定の間隔を有して立設された２つの側枠と、この側枠に両端部が係合し、長手方向の一面両端部にそれぞれ凸部が設けられることによって、前記凸部間に凹部が形成された単位おもりとを備えたことを特徴とするエレベータ用釣合い重り。
【請求項３】
前記単位おもりは直方体状を呈し、前記凸部が前記単位おもり下面に設けられたことを特徴とする請求項１又は請求項２に記載の単位おもり又はエレベータ用釣合い重り。
【請求項４】
前記凸部は、前記長手方向両端部から所定の距離離れた位置に設けられたことを特徴とする請求項１から請求項３の何れかに記載の単位おもり又はエレベータ用釣合い重り。
【請求項５】
前記単位おもりは、下面両端部に手掛かりが備えられたことを特徴とする請求項１から請求項４の何れかに記載の単位おもり又はエレベータ用釣合い重り。
【発明の詳細な説明】
【技術分野】
【０００１】
この発明は、エレベータに使用される単位おもりと、この単位おもりを用いたエレベータ用釣合い重りに関するものである。
【背景技術】
【０００２】
従来の単位おもりを用いたエレベータ用釣合い重りには、所要重量の大部分を占める直方体状の大形おもり体と、この大形おもり体の上部に結合され上枠と側枠とで門状に形成された枠体と、この枠体内に積層された単位おもりとを備えたものがある（例えば、特許文献１参照）。
【０００３】
【特許文献１】実開平２−７２６５号公報
【発明の開示】
【発明が解決しようとする課題】
【０００４】
特許文献１記載のエレベータ用釣合い重りでは、大形おもり体の上部に形成された枠体内に、直方体状を呈する単位おもりが積層されている。このような直方体状の単位おもりは、一般に鋳造により製造されており、長手方向に反りが生じる等の製造上の変形を防止することが困難となっている。図９は従来の単位おもりの１つに反りが生じた場合の模式図、図１０は図９の反りが生じた単位おもりに作用する曲げモーメント線図である。図において、従来のような直方体状の単位おもり２の１つに、上方に凸状を呈する反りが生じた場合には、反りの生じた単位おもり２ｃの上面（凸側）では最上部２ｆの１点で、また単位おもり２ｃの下面（凹側）では両端部の２点で、他の単位おもり２あるいは下枠１ａに接触する。したがって、反りの生じた単位おもり２ｃより上方に位置する単位おもり２の荷重は、単位おもり２ｃの中央部に集中的に作用することになる。このため、反りの生じた単位おもり２ｃには過大な曲げモーメントが作用し、鋳造によって製造された強度の低い単位おもり２ｃでは、その曲げモーメントに耐えることができないという問題があった。このような問題に対し、単位おもり２の厚みを増すなどの対策が考えられるが、重量の増加に伴い、据付及び運搬等の作業性が悪化するという新たな問題が生じることになる。また、反りの生じた単位おもり２ｃの上面では、上方に載置された単位おもり２と１点で接触しているため、上方の単位おもり２が不安定になり、釣合い重りがガイドレールを昇降する際に単位おもり２が揺れて異音が発生するという問題も生じていた。
【０００５】
また、単位おもり２が直方体状を呈することから、据付及び運搬の際に手掛かりとなる部分がなく、作業性が悪いという問題もあった。
【０００６】
この発明は、上述のような課題を解決するためになされたもので、その目的は、反りが生じた場合でも良好な積層状態を得ることによって破壊や異音の発生を防止するとともに、取り扱いを容易にすることができる単位おもりを提供することである。
【課題を解決するための手段】
【０００７】
この発明に係る単位おもりは、長手方向の一面両端部にそれぞれ凸部が設けられることによって、凸部間に凹部が形成されたものである。
【発明の効果】
【０００８】
この発明は、単位おもりの長手方向の一面両端部にそれぞれ凸部が設けられることによって、凸部間に凹部が形成される構成としたことで、反りが生じた場合でも良好な積層状態を得ることによって破壊や異音の発生を防止するとともに、取り扱いを容易にすることが可能となる。
【発明を実施するための最良の形態】
【０００９】
実施の形態１．
図１はこの発明の実施の形態１におけるエレベータ用釣合い重りの斜視図、図２はこの発明の実施の形態１における単位おもりの斜視図、図３はこの発明の実施の形態１における単位おもりの１つに反りが生じた場合の模式図、図４は図３の反りが生じた単位おもりに作用する曲げモーメント線図である。
【００１０】
図において、釣合い重りの四方枠（上枠は図示せず）のうち、横断面がコ字状を呈する側枠１が、互いに開口側が対向するように所定の間隔を有して立設されている。略直方体状を呈する単位おもり２は、その長手方向両端部がコ字状を呈する側枠１の開口部に係合するように四方枠内に複数載置されている。また、この単位おもり２の下面には、長手方向両端部に凸部２ａが設けられることによって、凸部２ａ間となる下面中央部に短手方向に渡って凹部が形成されている。このため、四方枠内に載置された単位おもり２には、各単位おもり２の境界中央部に直方体状の間隙が設けられている。
【００１１】
次に、四方枠内に載置されている複数の単位おもり２の１つの単位おもり２ｃに、上方に凸状を呈する反りが生じた場合について説明する。上方に凸状を呈する反りが生じた単位おもり２ｃは、その下面側が凹状に湾曲しているため、下面両端部に設けられた凸部２ａの外側端部２ｄと、単位おもり２ｃの下方に設けられた下枠１ａ上面とが接触する。したがって、単位おもり２ｃと下枠１ａとは２箇所で接触することとなる。また、反りの生じた単位おもり２ｃの上面には、上方に載置された単位おもり２の下面両端部に設けられた凸部２ａの内側端部２ｅが接触する。したがって、単位おもり２ｃ上面の最上部２ｆは、上方の単位おもり２の下面中央部に形成された凹部内に位置し、上方に載置された単位おもり２とは接触していない。つまり、反りの生じた単位おもり２ｃとその上方に載置されている単位おもり２とは、両端部の２箇所で接触し、単位おもり２ｃ上面の最上部２ｆと上方に載置された単位おもり２との間には間隙が形成されている。
【００１２】
この発明の実施の形態１によれば、四方枠に載置されている複数の単位おもり２の１つの単位おもり２ｃに反りが生じた場合でも、反りの生じた単位おもり２ｃは、下方に設けられた下枠１ａ及び上方に載置された単位おもり２にそれぞれ両端部２箇所で接触しているため、この単位おもり２ｃに過大な曲げモーメントが作用することがない。したがって、単位おもり２の厚さを必要以上に厚くする必要はなく、軽量で作業性に優れる単位おもり２を得ることができる。また、反りの生じた単位おもり２ｃの下面及び上面とも２箇所で他の単位おもり２等に接触しているため、反りの生じた単位おもり２ｃの上方に載置された単位おもり２が不安定になることはなく、釣合い重りが昇降路内を昇降する際にも異音を発生する恐れはない。なお、実施の形態１では、四方枠に載置された単位おもり２の内、最も荷重の作用する最下部の単位おもり２ｃに反りが生じた場合について説明したが、どの位置の単位おもり２に反りが生じた場合においても、実施の形態１と同様に上面及び下面とも２箇所で接触することになるため、同様の効果を得ることは可能である。また、単位おもり２に下方に凸状の反りが生じた場合や、単位おもり２が実施の形態１とは上下逆向きに四方枠内に載置された場合においても、反りの生じた単位おもり２ｃは上面及び下面とも２箇所で接触するため、実施の形態１と同様の効果を得ることができる。したがって、両端部に設けられた凸部２ａとこの凸部２ａによって形成される凹部とを、単位おもり２の長手方向の一面に設け、この一面が上面又は下面となるように四方枠内に載置されることによっても、同様の効果を得ることは可能である。
【００１３】
実施の形態２．
図５はこの発明の実施の形態２におけるエレベータ用釣合い重りの斜視図、図６はこの発明の実施の形態２における単位おもりの斜視図、図７はこの発明の実施の形態２における単位おもりの１つに反りが生じた場合の模式図、図８は図７の反りが生じた単位おもりに作用する曲げモーメント線図である。
【００１４】
図において、単位おもり２の下面には、長手方向両端部から所定の距離離れた位置に凸部２ｂがそれぞれ設けられており、凸部２ｂ間となるその中央部には凹部が形成されている。また、単位おもり２の下面両端部には、短手方向に渡って手掛かり３がそれぞれ設けられており、その他は実施の形態１と同様の構成となっている。
【００１５】
この発明の実施の形態２によれば、単位おもり２の下面には、凸部２ｂが長手方向両端部から所定の距離離れた位置にそれぞれ設けられることによってその両端部に手掛かり３が設けられているため、単位おもり２が作業台や床面等に載置されている状態であっても両端部には空間が形成されている。このため、この手掛かり３に手を掛けて据付及び運搬を行うことでき、作業性が向上する。また、単位おもり２下面の長手方向両端部にそれぞれ凸部２ｂが設けられることによって、その中央部には凹部が形成されているため、実施の形態１と同様に単位おもり２に反りが生じた場合でも、過大な曲げモーメントが作用することがなく、さらに釣合い重りが昇降する際にも異音を発生させる恐れがない。なお、実施の形態２では、手掛かり３が単位おもり２の短手方向に渡って設けられているが、単位おもり２を持ち上げるために手を掛けることができれば問題なく、特に形状を限定するものではない。
【図面の簡単な説明】
【００１６】
【図１】この発明の実施の形態１におけるエレベータ用釣合い重りの斜視図である。
【図２】この発明の実施の形態１における単位おもりの斜視図である。
【図３】この発明の実施の形態１における単位おもりの１つに反りが生じた場合の模式図である。
【図４】図３の反りが生じた単位おもりに作用する曲げモーメント線図である。
【図５】この発明の実施の形態２におけるエレベータ用釣合い重りの斜視図である。
【図６】この発明の実施の形態２における単位おもりの斜視図である。
【図７】この発明の実施の形態２における単位おもりの１つに反りが生じた場合の模式図である。
【図８】図７の反りが生じた単位おもりに作用する曲げモーメント線図である。
【図９】従来の単位おもりの１つに反りが生じた場合の模式図である。
【図１０】図９の反りが生じた単位おもりに作用する曲げモーメント線図である。
【符号の説明】
【００１７】
１  側枠
１ａ  下枠
２、２ｃ  単位おもり
２ａ、２ｂ  凸部
２ｄ  外側端部
２ｅ  内側端部
２ｆ  最上部
３  手掛かり
【図１】
2005145645.tif 000003
【図２】
2005145645.tif 000004
【図３】
2005145645.tif 000005
【図４】
2005145645.tif 000006
【図５】
2005145645.tif 000007
【図６】
2005145645.tif 000008
【図７】
2005145645.tif 000009
【図８】
2005145645.tif 000010
【図９】
2005145645.tif 000011
【図１０】
2005145645.tif 000012